(57)【要約】【課題】故障異常が循環ポンプ及び水流スイッチのいずれかを特定可能とし、機器故障時のみ故障報知し誤操作時は故障扱いせずに制御を自動停止させる。【解決手段】注湯路４１の下流端側を分岐させて注湯が循環ポンプ３５・水流スイッチ３７を通過せずに戻り路３２，往き路３３から浴槽２００に湯張りされるようにする。注湯中に水流スイッチがＯＦＦでなければ水流スイッチ異常と判定し、ＯＦＦであれば循環ポンプを作動させ、ＯＮに変化すれば水流スイッチ及び循環ポンプが共に正常と判定し追い焚き運転を許可する。追い焚き時に水流スイッチがＯＮしなければ浴槽水が無く誤操作と判定する。水流スイッチがＯＮに変化しなければ注湯温度を変更し、温度センサ３６の検出温度が変化すれば循環ポンプは正常、水流スイッチが異常と判定する。検出温度が変化しなければ循環ポンプが異常と判定する。【選択図】      図２
2004353981.tif 000002
【特許請求の範囲】
【請求項１】
給水を加熱する給湯回路と、浴槽内の湯水を循環させて追い焚き加熱する追い焚き回路とが注湯回路を介して互いに連結され、上記給湯回路から注湯回路を通して追い焚き回路に注湯させることにより上記追い焚き回路を通して浴槽に湯張りが行われるように構成された給湯器付き風呂釜において、
異常判定処理手段を備え、
上記追い焚き回路を構成する戻り路及び往き路のいずれか一方の途中位置に循環ポンプと、この循環ポンプの吐出側位置で流水を検知する流水検知手段とが介装され、上記注湯回路の下流端側が分岐されて上記戻り路及び往き路に対し上記循環ポンプ及び流水検知手段よりも上記浴槽側位置においてそれぞれ接続されており、
上記異常判定処理手段は、上記注湯回路を通した注湯運転の開始後に、上記流水検知手段による流水検知が無いことを条件に上記循環ポンプの作動を開始させ、この循環ポンプの作動開始により上記流水検知手段による流水検知の変化を監視し、この流水検知の変化に基づいて上記循環ポンプ及び流水検知手段が共に正常か、少なくとも一方が異常かを判定するように構成されている
ことを特徴とする給湯器付き風呂釜。
【請求項２】
請求項１に記載の給湯器付き風呂釜であって、
上記異常判定処理手段は、上記注湯運転の開始後であって上記循環ポンプの作動の開始前に、上記流水検知手段による流水検知が有るとき、流水検知手段が異常と判定するように構成されている、給湯器付き風呂釜。
【請求項３】
請求項１に記載の給湯器付き風呂釜であって、
上記追い焚き回路内の湯水の温度であって少なくとも上記循環ポンプの吐出側位置での湯水温度を検出する温度検出センサをさらに備え、
上記異常判定処理手段は、循環ポンプの作動を開始させても流水検知手段による流水検知が無いとき、上記注湯回路を通して注湯される注湯温度を変更させて上記温度検出センサによる検出温度の変化を監視し、その検出温度が上記注湯温度の変更に対応して変化するか否かに基づいて異常発生が循環ポンプか、流水検知手段かのいずれであるかを判定するように構成されている、給湯器付き風呂釜。
【請求項４】
請求項１〜請求項３のいずれかに記載の給湯器付き風呂釜であって、
報知手段をさらに備え、
上記異常判定処理手段は、循環ポンプ及び／又は流水検知手段が異常と判定されたとき、上記報知手段により異常発生箇所と共に異常発生の旨を報知させる処理を行うように構成されている、給湯器付き風呂釜。
【請求項５】
請求項１に記載の給湯器付き風呂釜であって、
上記異常判定処理手段は、上記注湯運転における判定処理によって循環ポンプ及び流水検知手段が共に正常と判定されたとき、上記追い焚き回路を用いた以後の追い焚き運転を許可するように構成されている、給湯器付き風呂釜。
【請求項６】
請求項１に記載の給湯器付き風呂釜であって、
上記異常判定処理手段は、上記注湯運転における判定処理によって循環ポンプ及び流水検知手段が共に正常と判定されているとき、追い焚き回路を用いた追い焚き運転が開始されるにあたり、上記循環ポンプの作動が開始される前後の上記流水検知手段による流水検知の変化を監視し、この流水検知の変化に基づいて浴槽内に追い焚き運転し得る湯水が有るか無いかを判定するように構成されている、給湯器付き風呂釜。
【請求項７】
請求項６に記載の給湯器付き風呂釜であって、
報知手段をさらに備え、
上記異常判定処理手段は、浴槽内に追い焚き運転し得る湯水が無いと判定したとき、追い焚き運転制御の実行を強制的に終了させるように構成されている、給湯器付き風呂釜。
【請求項８】
請求項７に記載の給湯器付き風呂釜であって、
報知手段をさらに備え、
上記異常判定処理手段は、追い焚き運転制御の実行を強制的に終了させるとき、上記報知手段により浴槽内の湯水が不足している旨を報知させる処理を併せて行うように構成されている、給湯器付き風呂釜。
【発明の詳細な説明】
【０００１】
【発明の属する技術分野】
本発明は、給湯回路からの注湯による湯張り機能や、追い焚き循環回路による追い焚き機能を備えた給湯器付き風呂釜に関し、特に追い焚き循環回路に設置されている循環ポンプ及び水流スイッチの故障判定や浴槽内の湯水の有無判定についての技術に係る。
【０００２】
【従来の技術】
従来、給湯器付き風呂釜として、給湯回路と追い焚き循環回路とを備え、これら給湯回路と追い焚き循環回路との間を注湯回路で連結したものが知られている。通常、上記追い焚き循環回路には循環ポンプ及び水流スイッチが介装され、追い焚き運転を行うときには先ず上記循環ポンプを作動させて浴槽内の湯水を追い焚き循環回路内に循環させ、次に上記水流スイッチがその循環流を受けてＯＦＦ（閉）からＯＮ（開）に変化することを確認した上で燃焼を開始するという制御が行われ、これにより、浴槽内に湯水のないままで燃焼を開始してしまうという空焚きの発生を防止するようにされている。つまり、空焚き発生の防止を図る上で上記水流スイッチが用いられ、この水流スイッチが正常に作動しているのか、故障しているのかの判定が必要になる。
【０００３】
上記の水流スイッチの故障判定を行うものとして、特許文献１では次のようなものが提案されている。この給湯器付き風呂釜では、追い焚き循環回路に循環ポンプ、電動弁、水流スイッチ及び加熱用熱交換器がこの順で介装され、注湯回路の下流端が電動弁と水流スイッチとの間の追焚循環回路部位に接続され、上記電動弁を閉にすることで注湯回路からの注湯が必ず水流スイッチ及び熱交換器を通過した後に浴槽に落とし込まれて湯張りされるという構造が前提とされている。そして、上記の電動弁及び注湯弁を閉弁すると上記水流スイッチがＯＦＦになり上記注湯弁を開弁して注湯するとＯＮになれば水流スイッチは正常であると判定する一方、上記の閉弁してもＯＮ又は注湯してもＯＦＦであれば水流スイッチは異常（故障）であると判定するようにしている。
【０００４】
【特許文献１】
実開平３−７２２５４号公報
【０００５】
【発明が解決しようとする課題】
ところが、上記の特許文献１で提案の水流スイッチの故障判定手法では、追い焚き循環回路の途中に電動弁を介装して追い焚き循環回路内の流れを強制的に遮断し得る給湯器付き風呂釜を前提にしているため、上記の電動弁を介装する分、製造コストの増大やコンパクト化に反する結果を招くことになる。このため、通常は上記の電動弁の介装は省略されている。
【０００６】
一方、上記の電動弁の介装を省略した通常構造のものでの追い焚き運転時における空焚き防止のための制御の場合、次のような不都合がある。すなわち、注湯回路を通しての注湯により湯張りが終了した後、追い焚きスイッチ又はふろ自動スイッチ等のＯＮ操作により追い焚き運転に入る際に、先ず循環ポンプを作動させて水流スイッチがＯＮすることを確認した上で燃焼を開始（許可）するという追い焚き運転制御を行う場合、循環ポンプの作動制御をしても水流スイッチがＯＦＦのままでＯＮしなければ、エラー発生と判定されてリモコン等によりエラー報知（警告）が実行されることになる。そして、このエラー報知を見たユーザによりメーカもしくは販売店等に連絡され、販売店から派遣された作業員により修理・点検が行われることになる。
【０００７】
しかし、上記の場合、循環ポンプや水流スイッチの機器故障が原因であるのか、あるいは、循環ポンプ及び水流スイッチは共に正常であるが浴槽内に湯水がない（循環アダプタの吸い込み口よりも水位が下である）にも拘わらず上記追い焚きスイッチ等をＯＮするというユーザの誤操作が原因であるのか、いずれが原因なのか制御上不明となる。それにも拘わらず、一律にエラー報知が行われる結果、ユーザの誤操作が原因である場合には上記の作業員による修理・点検が無駄になる。
【０００８】
その一方、機器故障が原因である場合には、循環ポンプは正常に作動しているが水流スイッチが故障しているのか、水流スイッチは正常であるが循環ポンプが故障しているのか、あるいは、循環ポンプ及び水流スイッチの双方が故障しているのか、いずれなのかは制御上不明であるため、上記の作業員は循環ポンプ及び水流スイッチの双方を対象にして修理・点検のための作業を行わざるを得なくなる。
【０００９】
また、ユーザの誤操作を除外して考えた場合であっても、上記の追い焚き運転開始時に水流スイッチがＯＮするか否かを確認する判定手法では、浴槽内に湯張りされている、つまり浴槽内に循環アダプタの吸い込み口よりも上まで湯水があることを前提にしており、浴槽内に湯水がない場合には上記の特許文献１の如き電動弁を設置しない限り水流スイッチの故障判定は行い得ないという不都合もある。
【００１０】
本発明は、このような事情に鑑みてなされたものであり、その目的とするところは、循環ポンプ及び流水検知手段のいずれが故障であるかを特定し得る給湯器付き風呂釜を提供することにある。併せて、真に機器故障である場合にのみ故障であることの報知を行うこと、ユーザの誤操作に起因する場合には故障とは扱わずに制御の実行を自動停止させることなどを実現させることにある。
【００１１】
【課題を解決するための手段】
上記目的を達成するために、本発明は、注湯回路を通して追い焚き回路に流入される注湯が循環ポンプ及び流水検知手段を通過することなく浴槽側に湯張りされるように注湯回路の下流端を追い焚き回路に接続させた構造にし、その上で循環ポンプ及び／又は流水検知手段の異常発生箇所を確実に特定し得るようにしたものである。
【００１２】
具体的には、本発明では、給水を加熱する給湯回路と、浴槽内の湯水を循環させて追い焚き加熱する追い焚き回路とが注湯回路を介して互いに連結され、上記給湯回路から注湯回路を通して追い焚き回路に注湯させることにより上記追い焚き回路を通して浴槽に湯張りが行われるように構成された給湯器付き風呂釜を対象として次の特定事項を備えるようにした。
【００１３】
すなわち、異常判定処理手段を備え、上記追い焚き回路を構成する戻り路及び往き路のいずれか一方の途中位置に循環ポンプと、この循環ポンプの吐出側位置で流水を検知する流水検知手段とを介装し、上記注湯回路の下流端側を分岐させて上記戻り路及び往き路に対し上記循環ポンプ及び流水検知手段よりも上記浴槽側位置においてそれぞれ接続させる。そして、上記異常判定処理手段として、上記注湯回路を通した注湯運転の開始後に、上記流水検知手段による流水検知が無いことを条件に上記循環ポンプの作動を開始させ、この循環ポンプの作動開始により上記流水検知手段による流水検知の変化を監視し、この流水検知の変化に基づいて上記循環ポンプ及び流水検知手段が共に正常か、少なくとも一方が異常かを判定する構成とした（請求項１）。
【００１４】
本発明の場合、注湯回路の下流端側が分岐されて循環ポンプ及び流水検知手段の介装位置よりも浴槽側の戻り路及び往き路の各位置に接続されているため、注湯回路からの注湯は上記循環ポンプ及び流水検知手段を通過せずに上記戻り路及び往き路を通して浴槽に落とし込まれることになる。このため、上記戻り路及び往き路の循環ポンプ及び流水検知手段が介装された側には流水は生じずに滞留状態になる結果、上記流水検知手段が正常であればこの流水検知手段による流水検知は無い状態で注湯による湯張りが行われることになる。この流水検知手段による流水検知が無いことを条件に循環ポンプの作動を開始すると、それまで非通過であった注湯が循環ポンプに吸い込まれて流水検知手段の側に吐出されることになり、循環ポンプが正常に作動していれば流水検知が行われることになる。このため、流水検知が有れば循環ポンプ及び流水検知手段は共に正常であると判定される一方、流水検知が無ければ循環ポンプが異常、流水検知手段が異常、あるいは、双方が異常であると判定し得る。なお、この場合の流水検知手段の異常とは、この流水検知手段が例えば水流スイッチにより構成されている場合には、その水流スイッチのフラッパが閉状態（ＯＦＦ状態）で電気接点が離れて流水検知無しとなるためその閉状態のまま固着しているＯＦＦ異常の発生を意味する。以上により、浴槽内の湯水の有無の如何に拘わらず、追い焚き運転開始の前の段階である注湯運転段階において、循環ポンプ及び流水検知手段が共に正常であるのか、少なくとも一方に異常が生じているのかの判定を確実に行うことが可能になる。なお、上記の循環ポンプの作動は判定処理に要する所定の時間だけ継続させた後は、その作動を停止させればよい。
【００１５】
上記の本発明の場合には、上記の異常判定処理手段に対し次のような種々の特定事項を追加採用することもできる。
【００１６】
すなわち、第１として、上記異常判定処理手段として、上記注湯運転の開始後であって上記循環ポンプの作動の開始前に、上記流水検知手段による流水検知が有るとき、流水検知手段が異常と判定する構成を追加するようにしてもよい（請求項２）。この場合には、上記の注湯を上記循環ポンプ及び流水検知手段に通過させない構造の採用と相俟って、追い焚き運転開始の前の段階である注湯段階において、流水検知手段自体の異常発生を確実に判定することが可能になり、以後の対処が可能になる。
【００１７】
第２として、上記追い焚き回路内の湯水の温度であって少なくとも上記循環ポンプの吐出側位置での湯水温度を検出する温度検出センサをさらに備え、上記異常判定処理手段として、循環ポンプの作動を開始させても流水検知手段による流水検知が無いとき、上記注湯回路を通して注湯される注湯温度を変更させて上記温度検出センサによる検出温度の変化を監視し、その検出温度が上記注湯温度の変更に対応して変化するか否かに基づいて異常発生が循環ポンプか、流水検知手段かのいずれであるかを判定する構成を追加するようにしてもよい（請求項３）。この場合には、循環ポンプ及び流水検知手段の少なくとも一方の異常発生の判定に加え、その異常発生がいずれなのかを特定することが可能になる。すなわち、上記注湯温度の変更に対応した温度変化が上記温度検出センサにより検出されれば循環ポンプは正常に作動しており、循環ポンプが正常であるにも拘わらず流水検知が無いため流水検知手段が異常であると判定し得る一方、上記の温度変化が温度検出センサにより検出されなければ循環ポンプが正常に作動していなくて異常であると判定し得ることになる。
【００１８】
第３として、報知手段をさらに備え、上記異常判定処理手段として、循環ポンプ及び／又は流水検知手段が異常と判定されたとき、上記報知手段により異常発生箇所と共に異常発生の旨を報知させる処理を行う構成を追加するようにしてもよい（請求項４）。この場合には、異常発生の旨に加えて異常発生箇所も報知されるため、作業員による点検・修理を迅速かつ確実に行い得ることになる。しかも、追い焚き運転を行う前の注湯段階でユーザに報知されるため、現実に不具合が発生する前にユーザは異常発生を認識してそれに対する対処を行うことも可能になる一方、点検・修理等の対処を行う作業員の側にとってもユーザの誤操作に基づく異常ではなくて機器故障に基づく異常に対してのみ対処を行うことが可能になる。
【００１９】
第４として、上記異常判定処理手段として、上記注湯運転における判定処理によって循環ポンプ及び流水検知手段が共に正常と判定されたとき、上記追い焚き回路を用いた以後の追い焚き運転を許可する構成を追加するようにしてもよい（請求項５）。この場合には、循環ポンプ及び／又は流水検知手段が異常であるままに追い焚き運転が実行されて初めて不具合が顕在化するという事態の発生が未然に回避されることになる。
【００２０】
第５として、上記異常判定処理手段として、上記注湯運転における判定処理によって循環ポンプ及び流水検知手段が共に正常と判定されているとき、追い焚き回路を用いた追い焚き運転が開始されるにあたり、上記循環ポンプの作動が開始される前後の上記流水検知手段による流水検知の変化を監視し、この流水検知の変化に基づいて浴槽内に追い焚き運転し得る湯水が有るか無いかを判定する構成を追加するようにしてもよい（請求項６）。この場合には、追い焚き運転における異常検知が、機器故障ではなくてユーザの誤操作に基づくものであることが確実に判定することが可能になる。すなわち、追い焚き運転の前の注湯運転段階で循環ポンプ及び流水検知手段が共に正常と判定されているため、追い焚き運転の開始のために循環ポンプが作動されると、浴槽内に追い焚き運転し得る湯水があればその湯水が上記循環ポンプにより追い焚き回路内を流れるため流水検知手段により流水検知が無しから有りに変化するため、この流水検知の変化についての出力を受けて浴槽内に湯水が有ると判定し得る。その一方、循環ポンプが作動されても流水検知が有りに変化しなければ、追い焚き運転し得るほどの湯水量が浴槽内には無く、今回の追い焚き運転開始のためのユーザ操作自体がユーザの誤操作であると判定し得る。つまり、浴槽内に湯水が無いのに、あるいは、浴槽の排水栓を閉め忘れたままに、誤って追い焚きスイッチ又はふろ自動スイッチ等のＯＮ操作を行ったものと判定し得る。なお、「浴槽内に追い焚き運転し得る湯水が有るか無いか」とは、通常は追い焚き回路側の配管が浴槽に対し循環アダプタを介して接続されているため、この循環アダプタの戻り路側配管の吸い込み口よりも上のレベルまで湯水がないと追い焚き運転は不能となることから、浴槽内の水位が上記吸い込み口以下であれば追い焚き運転し得る湯水が無いことを意味し、その吸い込み口よりも上まで水位があれば湯水が有ることを意味する。
【００２１】
この場合には、報知手段をさらに備え、上記異常判定処理手段として、浴槽内に追い焚き運転し得る湯水が無いと判定したとき、追い焚き運転制御の実行を強制的に終了させる構成を追加するようにしてもよい（請求項７）。この場合には、誤操作に基づく不具合発生を未然に回避し得ることになる。すなわち、浴槽内に追い焚き運転し得る湯水が無いままに追い焚きのための加熱を開始すると、空焚きが発生してしまうことになるが、上記の追い焚き運転制御の強制終了処理により、ユーザが湯水の無いことに気付いて追い焚きを止める前に自動終了させることが可能になる。
【００２２】
さらに、報知手段を備え、上記異常判定処理手段として、追い焚き運転制御の実行を強制的に終了させるとき、上記報知手段により浴槽内の湯水が不足している旨を報知させる処理を併せて行う構成にしてもよい（請求項８）。この場合には、ユーザの操作が誤操作に基づくものであったとしても、湯水が不足している旨の報知により、そのユーザに対し誤操作に基づくものであることを認知させ、浴槽内に湯水を足す又は排水栓の閉め忘れを是正させる等の対処を行わすことが可能になる。
【００２３】
【発明の効果】
以上、説明したように、請求項１〜請求項８のいずれかの給湯器付き風呂釜によれば、通常の注湯運転であれば注湯回路からの注湯が循環ポンプ及び流水検知手段を通過せずに戻り路及び往き路を通して浴槽に落とし込まれることになるため、注湯中に循環ポンプを作動させて流水検知手段の流水検知の変化を見ることによって、循環ポンプ及び流水検知手段が共に正常であるのか、あるいは、循環ポンプが異常、流水検知手段が異常もしくは双方が異常であるのかの判定を行うことができるようになる。このため、浴槽内の湯水の有無の如何に拘わらず、追い焚き運転開始の前の段階である注湯運転段階において、循環ポンプ及び流水検知手段が共に正常であるのか、少なくとも一方に異常が生じているのかの判定を確実に行うことができるようになる。
【００２４】
特に、請求項２によれば、上記の注湯を上記循環ポンプ及び流水検知手段に通過させない構造の採用と相俟って、追い焚き運転開始の前の段階である注湯段階において、流水検知手段自体の異常発生を確実に判定することができ、以後の対処を行うことができるようになる。
【００２５】
請求項３によれば、循環ポンプ及び流水検知手段の少なくとも一方の異常発生の判定に加え、その異常発生が循環ポンプ及び流水検知手段のいずれなのかを特定することができるようになる。
【００２６】
請求項４によれば、異常発生の旨に加えて異常発生箇所も報知されるため、作業員による点検・修理を迅速かつ確実に行うことができる。しかも、追い焚き運転を行う前の注湯段階でユーザに報知されるため、現実に不具合が発生する前にユーザは異常発生を認識してそれに対する対処を行わせることができる一方、点検・修理等の対処を行う作業員の側にとってもユーザの誤操作に基づく異常ではなくて機器故障に基づく異常に対してのみ対処を行うことができるようになる。
【００２７】
請求項５によれば、循環ポンプ及び流水検知手段が共に正常と判定されたときでなければ、以後の追い焚き運転が許可されないため、循環ポンプ及び／又は流水検知手段が異常であるままに追い焚き運転が実行されて初めて不具合が顕在化するという事態の発生を未然に回避することができるようになる。
【００２８】
請求項６によれば、追い焚き運転の前の注湯運転段階で循環ポンプ及び流水検知手段が共に正常と既に判定されているため、追い焚き運転における異常検知があれば、その原因は、浴槽内に湯水が無いのに、あるいは、浴槽の排水栓を閉め忘れたままに、誤って追い焚きスイッチ又はふろ自動スイッチ等のＯＮ操作を行ったものであるというようにユーザの誤操作に基づくものであり、機器故障ではないことを確実に判定することができるようになる。
【００２９】
この場合、請求項７によれば、浴槽内に追い焚き運転し得る湯水が無いと判定されたときには、追い焚き運転制御の強制終了という自動処理によって、誤操作に基づく空焚き発生等の不具合発生を未然に回避することができるようになる。また、請求項８によれば、ユーザの操作が誤操作に基づくものであったとしても、湯水が不足している旨の報知により、そのユーザに対し誤操作に基づくものであることを認知させ、浴槽内に湯水を足す又は排水栓の閉め忘れを是正させる等の対処を行わすことができるようになる。
【００３０】
【発明の実施の形態】
以下、本発明の実施形態を図面に基づいて説明する。
【００３１】
図１は、本発明の給湯器付き風呂釜に係る実施形態として１缶２回路式の給湯器付き風呂釜１００を示す。この給湯器付き風呂釜１００は、給湯回路２と、浴槽２００内の湯水の追い焚きを行う追い焚き回路３と、上記給湯回路２と追い焚き回路３とを互いに連結して給湯回路２から追い焚き回路３を介して浴槽２００への湯張りのための注湯を行う注湯回路４と、後述の故障判定処理手段を含むコントローラ５とを備えたものであり、上記給湯回路２及び追い焚き循環回路３は共通の１つの熱交換缶体６において熱交換加熱される１缶２回路式に構成されている。
【００３２】
上記給湯回路２は、水道管等に接続された給水路１１から給湯用加熱部としての給湯用熱交換器１２に入水された水を上記の熱交換缶体６に設置された燃焼バーナ１３の燃焼熱により熱交換加熱し、加熱後の湯水を出湯路１４を通して下流端の給湯栓１５まで給湯させるようになっている。上記給水路１１と出湯路１４との間には上記熱交換器１２をバイパスするバイパス路１６が設けられて、バイパス制御弁１７の位置制御による開度調整により上記出湯路１４からの出湯に対する水の混合比が変更調整されて上記給湯栓１５等に対する給湯温度の調整が可能となっている。
【００３３】
上記給水路１１には、入水流量センサ１８と、入水温度センサ１９とが配設されている一方、上記出湯路１４には、上記熱交換器１２の出口近傍位置で熱交換缶体４から出湯された直後の出湯温度を検出する缶体温度センサ２０と、給湯流量制御弁２１と、上記給湯栓１５もしくは後述の注湯回路４に供給される湯水の温度を検出する給湯温度センサ２２とが配設されている。
【００３４】
上記追い焚き循環回路３は追い焚き用加熱部としての追い焚き用熱交換器３１と、浴槽２００からの湯水を熱交換器３１に戻す戻り路３２及び熱交換器３１で上記燃焼バーナ１３により追い焚きされた湯水を浴槽２００に供給する往き路３３からなる循環路３４と、循環させるための循環ポンプ３５とを備えている。上記循環ポンプ３５は戻り路３２の途中に介装され、この循環ポンプ３５の吐出側の戻り路３２には戻り路３２内の湯水温度を検出する温度検出センサとしての  ふろ戻り温度センサ３６と、流水の通過によりフラッパ３７ａが開いてＯＮ信号が出力される流水検知手段としての水流スイッチ３７とがそれぞれこの順で介装されている。上記水流スイッチ３７は、正常に動作する状態にあるときには、流水がなければフラッパ３７ａが閉じて電気接点が開放されるためＯＦＦとなる一方、流水があればその流水の圧力により上記フラッパ３７ａが押し開かれて電気接点が閉じるためＯＮ信号が出力されるようになっている。つまり、正常であれば、水流スイッチ３７が「ＯＮ」であるとは流水検知が有ることを、「ＯＦＦ」とは流水検知が無いことを意味する。
【００３５】
また、上記注湯回路４は、上記給湯回路２の出湯路１４から分岐して給湯回路２で加熱された湯水を上記循環路３４に注湯して浴槽２００に湯張りするための注湯路４１と、上記給水路１１側が停電等に起因する断水等の発生により負圧状態に陥るときに上記注湯路４１を大気開放する負圧破壊弁４２とを備えている。上記注湯路４１はその上流端が給湯流量制御弁２１の下流側位置の出湯路１４から分岐し、下流端側が２方に分岐して一方端４１１が上記循環ポンプ３５の吸い込み側の戻り路３２に対し接続され、他方端４１２が往き路３３の途中位置に対し逆止弁４１３を介して接続されている。つまり、注湯路４１の下流端側は上記循環ポンプ３５や水流スイッチ３７よりも浴槽側位置において戻り路３２及び往き路３３に接続されている。上記注湯路４１には、注湯流量を検出する注湯流量センサ４２と、開閉制御により注湯実行又は停止の切換を行う注湯弁４３と、給湯回路２側への逆流入を阻止するための二段配置の逆止弁４４，４４とが介装されている。上記負圧破壊弁４２は、内蔵弁の一側に給水路１１からの給水圧が導入される一方、他側に上記両逆止弁４４，４４間から注湯路４１の内圧が導入され、常時は給水圧が大であるため閉弁状態となり、上記の断水等により給水路１１側が負圧状態に陥れば開弁して上記注湯路４１を大気開放させるようになっている。
【００３６】
上記の追い焚き回路３に対する注湯路４１の下流端４１１，４１２の接続構造を採用した結果、注湯回路４からの注湯が浴槽２００に落とし込まれるまでに通過する経路は次のようになる。上記注湯弁４３が後述のコントローラ５により開かれて注湯が開始されると、図２（ａ）に太線及び矢印により示すように、上記出湯路１４からの湯が注湯路４１を通してその２つの下流端４１１，４１２に分岐されて戻り路３２及び往き路３３の双方に供給され、供給された湯は戻り路３２及び往き路３３の双方を通して両搬送方式により浴槽２００に対し循環アダプタ２０１から注湯されて湯張りされる。この際、上記の注湯は循環ポンプ３５及び水流スイッチ３７に流れ込むことはなく、このため、水流スイッチ３７は正常であればそのフラッパ３７ａが閉じてＯＦＦとなり、また、熱交換器３１を通過することもないため燃焼バーナ１３の燃焼熱により熱交換器３１において再加熱されることもない。つまり、湯張りのための注湯が循環ポンプ３５及び水流スイッチ３７を通過することなく、かつ、熱交換器３１での再加熱を受けることなく浴槽２００に注湯されるようになっている。上記の如く再加熱を受けることがないため、浴槽２００に湯張りされる湯張り温度は放熱分を考慮しなければ給湯回路２側から供給される注湯に対する設定注湯温度に等しくなる。
【００３７】
さらに、上記熱交換缶体６には燃焼バーナ１３に対し燃焼用空気を供給する送風ファン６１が配設され、上記燃焼バーナ１３には燃料ガスを供給するガス供給管６２が接続されている。このガス供給管６２には元ガス電磁弁及び電磁比例弁が介装され、上記送風ファン６１、元ガス電磁弁、電磁比例弁及び燃焼バーナ１３等により燃焼系７が構成され、この燃焼系７を缶体温度センサ２０等の検出値に基づいて制御することにより燃焼バーナ１３の燃焼作動制御が行われる。
【００３８】
上記の給湯器付き風呂釜１００は、ＭＰＵ、メモリ等を備え各種の制御用プログラムが格納されたコントローラ５によって、給湯運転、注湯運転及び追い焚き運転等の各種の運転制御がリモコン５１からの出力及び上記の各種センサからの出力等に基づいて行われるようになっている。すなわち、上記コントローラ５は、図３に示すように、上記給湯回路２により給湯栓１５に対する給湯運転を行う給湯制御部５２と、注湯回路４により浴槽２００に湯張りする注湯運転を行う注湯制御部５３と、追い焚き回路３により浴槽２００内の湯水を所定温度まで焚き上げる追い焚き運転を行う追い焚き制御部５４と、主として上記循環ポンプ３５及び水流スイッチ３７の故障等の異常発生を判定して検知したりリモコン５１に対するユーザの誤操作を判定したりして種々の処理を行う異常判定処理手段としての異常判定処理部５５とを備えている。
【００３９】
上記給湯制御部５２による給湯制御は次のようにして行われる。すなわち、給湯栓１５の開操作により給水路１１に所定の水道管から最低作動流量（ＭＯＱ；例えば３リットル／分）以上の入水があり、それが入水流量センサ１８により検出されると、上記燃焼系７の燃焼作動制御を開始し、次いで、入水温度センサ１９からの入水温度及び給湯温度センサ２２からの給湯温度の各検出値等に基づいてリモコン５１にユーザが設定した設定給湯温度になるように燃焼作動量が制御される。そして、上記給湯栓１５がユーザにより閉操作されると、上記入水流量センサ１８の検出入水流量が最低作動流量未満ひいてはゼロになるため、上記の燃焼作動を停止して給湯運転制御を終了する。
【００４０】
上記注湯制御部５３による注湯制御はリモコン５１の湯張りスイッチ又はふろ自動スイッチがユーザによりＯＮ操作されると開始される。すなわち、上記注湯弁４３を開いて上記の給湯制御と同様にして所定の設定注湯温度の出湯になるように燃焼制御系７による燃焼制御を行う。これにより、出湯路１４から注湯路４１を通して追い焚き回路３に注湯され、次いで上述の如き経路で浴槽２００に注湯される。この注湯は浴槽２００内に所定の湯張り量だけ湯張りされるまで一段階もしくは複数段階に分けて実行される。
【００４１】
上記追い焚き制御部５４による追い焚き制御は次のようにして行われる。すなわち、リモコン５１の追い焚きスイッチをユーザがＯＮ操作するか、あるいは、前段階に上記のふろ自動スイッチをユーザがＯＮ操作した場合には注湯制御による湯張りが終了すると、追い焚き指令がコントローラ５に出力され、この追い焚き指令を受けて開始される。まず、循環ポンプ３５の作動を開始し、この作動開始により水流スイッチ３７からＯＮ信号が出力されれば、上記燃焼系７の燃焼作動制御が開始されて燃焼バーナ１３が燃焼作動される。この燃焼作動はふろ戻り温度センサ３６により検出される温度が設定ふろ温度を維持するように行われる。つまり、ふろ戻り温度センサ３６の検出温度が設定ふろ温度よりも低ければ燃焼作動され、設定ふろ温度以上であれば燃焼作動が停止される。
【００４２】
以上の注湯制御部５３及び追い焚き制御部５４による各運転制御において上記異常判定処理部５５により判定処理が実行される。すなわち、注湯運転中に上記循環ポンプ３５及び水流スイッチ３７について正常か異常かの判定処理を行い、この判定結果に基づいて追い焚き運転の開始を許可し、この追い焚き運転開始の際に浴槽２００内に所定の湯水量の有無について判定することによりユーザの誤操作の有無を判定する。以上の異常判定処理部５５による処理を図４〜図６を参照しつつ詳細に説明する。
【００４３】
まず、注湯中か否かを注湯制御部５３からの情報により判定して注湯運転による注湯が開始されたことを確認した上で（ステップＳ１；図４参照）、水流スイッチ３７がＯＦＦ（流水検知無し）であることを確認する。注湯は前述の如く図２（ａ）に示すように循環ポンプ３５や水流スイッチ３７を通過しないため、水流スイッチ３７が正常であればＯＦＦである筈である。この原理に基づき水流スイッチ３７がＯＦＦであることを確認することにより上記水流スイッチ３７は正常であると判定し（ステップＳ２でＹＥＳ）、その上で、次に、循環ポンプ３５の作動を開始（ＯＮ）する（ステップＳ３）。
【００４４】
循環ポンプ３５を作動させると、この循環ポンプ３５が正常であり、正常に作動したとすれば、注湯の流れは図２（ｂ）に太線及び矢印で示すようになる筈である。すなわち、注湯路４１からの注湯はその大半が下流端４１１を経て循環ポンプ３５に吸い込まれ水流スイッチ３７のフラッパ３７ａを押し開いてＯＮにした後、熱交換器３１を通過して往き路３３に至り、この往き路３３を通して浴槽２００に注湯されることになる。従って、上記水流スイッチ３７からＯＮ信号が出力されてＯＦＦからＯＮに変化したことの確認により（ステップＳ４でＹＥＳ）、循環ポンプ３５が上記の水流スイッチ３７と共に正常に作動していると判定し、この判定結果を記憶する（ステップＳ５）。この場合には判定処理は終了するため、以後は循環ポンプ３５の作動を停止（ＯＦＦ）し（ステップＳ６）、通常経路（図２（ａ）参照）での注湯を継続させる。
【００４５】
一方、上記のステップＳ２で水流スイッチ３７は正常であると判定した後に（ステップＳ２でＹＥＳ）、ステップＳ３で循環ポンプ３５を作動させたものの、水流スイッチ３７がＯＮに変化せずにＯＦＦのままである場合には（ステップＳ４でＮＯ）、循環ポンプ３５及び水流スイッチ３７のいずれか一方に故障等の異常が発生しているため、以下の処理によりいずれが異常であるかを特定する。すなわち、循環ポンプ３５の作動を継続しつつ注湯制御部５３に対し設定出湯温度の変更指令を出力し給湯回路２側から注湯される湯水の温度を例えば高温側に変更し（ステップＳ７）、上記循環ポンプ３５の吐出側に設置されたふろ戻り温度センサ３６の検出温度が上記高温側変更に対応して昇温したか否かを確認する（ステップＳ８）。
【００４６】
循環ポンプ３５が正常であれば高温側に変更された注湯が循環ポンプ３５から吐出される筈であるため、上記検出温度が昇温すれば、循環ポンプ３５は正常であるものの水流スイッチ３７が異常（ＯＦＦ故障）であると判定し（ステップＳ８でＹＥＳ，ステップＳ９）、水流スイッチ３７に異常（故障）が発生している旨の報知をリモコン５１により行う（ステップＳ１０）。このリモコン５１による報知は、予め記録した音声ガイドを内蔵スピーカにより出力させる、又は、リモコン５１の表示部に文字情報により表示出力させる等により行えばよく、これに警告ブザーの吹鳴や警告ランプの点滅等を組み合わせるようにしてもよい。そして、上記のステップＳ６に移り、循環ポンプ３５を停止させる。なお、上記のＯＦＦ故障とは水流スイッチ３７のフラッパ３７ａに以前の追い焚き運転により髪の毛等が噛み込んで動き難くなって流水を受けてもＯＮ信号が出力される位置までは開かなくなった状態のことである。
【００４７】
上記とは逆にふろ戻り温度センサ３６の検出温度が昇温せずに同じであれば（変化しなければ）、水流スイッチ３７は正常ではあるものの循環ポンプ３５が異常（故障）であると判定し（ステップＳ８でＮＯ，ステップＳ１１）、循環ポンプ３５に異常（故障）が発生している旨の報知をリモコン５１により行う（ステップＳ１２）。このリモコン５１の報知は上記のステップＳ１０のケースと同様に行えばよく（以下の報知において同じ）、この報知により判定処理は終了したためステップＳ６に移って循環ポンプ３５を停止させる。
【００４８】
また、上記のステップＳ２の確認・判定において、水流スイッチ３７には注湯が通過せずに本来はＯＦＦのままであるにも拘わらず、ＯＮ信号が出力されている場合には、水流スイッチ３７は異常（ＯＮ故障）であると判定して判定結果を記憶する（ステップＳ２でＮＯ，ステップＳ１３；図５参照）。そして、循環ポンプ３５について正常か異常かの判定を行う。すなわち、循環ポンプ３５の作動を開始し（ステップＳ１４）、上記のステップＳ７と同様に注湯設定温度の変更（例えば高温側に変更）し、この変更に伴いふろ戻り温度センサ３６の検出温度が変化するか否かを確認する（ステップＳ１５，ステップＳ１６）。
【００４９】
上記検出温度が高温側に変化すれば循環ポンプ３５自体は正常に作動していると判定し（ステップＳ１６でＹＥＳ）、上記ステップＳ１３で判定された水流スイッチ３７のＯＮ故障をリモコン５１により報知する（ステップＳ１７）。そして、ステップＳ６（図４参照）に戻って循環ポンプ３５を停止する。逆に上記ステップＳ１６で上記検出温度が変化しなければ（ステップＳ１６でＮＯ）、高温側に注湯温度が変更された注湯が吐出されていない、つまり循環ポンプ３５も異常であると判定し（ステップＳ１８）、循環ポンプ３５及び水流スイッチ３７が共に異常であることをリモコン５１により報知する（ステップＳ１９）。そして、上記のステップＳ６に戻って循環ポンプ３５を停止する。なお、上記のＯＮ故障とは、ＯＦＦ故障の場合と同様に髪の毛等の噛み込みによりフラッパ３７ａが開いた状態に拘束されてしまい流水が無くても閉状態に復帰しない異常のことである。
【００５０】
以上で注湯段階における循環ポンプ３５及び／又は水流スイッチ３７の異常という機器故障に対する異常判定処理を終了する。
【００５１】
次に、追い焚き運転開始にあたって実行される浴槽２００内の湯水の有無についての判定処理について図６に基づいて説明する。
【００５２】
まず、リモコン５１のふろ自動スイッチ又は追い焚きスイッチがユーザによりＯＮ操作されているか否かを確認していずれかがＯＮされていれば、上記注湯段階での今回の判定結果についての記憶内容が循環ポンプ３５及び水流スイッチ３７が共に正常であるとの判定結果（ステップＳ５参照）であることを条件に、循環ポンプ３５が作動される（ステップＳ２１でＹＥＳ，ステップＳ２２）。この循環ポンプ３５の作動開始により水流スイッチ３７がＯＮすれば、浴槽２００内に追い焚き運転し得る量の湯水があると判定して追い焚き制御部５４による燃焼バーナ１３の追い焚き燃焼作動を許可する（ステップＳ２４）。
【００５３】
逆に、循環ポンプ３５を作動させても水流スイッチ３７がＯＮしなければ、浴槽２００内には追い焚き運転し得る量の湯水は無いと判定し（ステップＳ２３でＮＯ，ステップＳ２５）、上記のふろ自動スイッチ又は追い焚きスイッチを強制的にＯＦＦに変更して追い焚き制御部５４による追い焚き制御の開始を停止させる（ステップＳ２６）。併せて、浴槽２００内に湯水が不足もしくは無い旨をリモコン５１により報知する（ステップＳ２７）。これにより、ユーザは排水栓の閉め忘れがないか湯水がないかどうかの確認を行い、自己の誤操作を認識して適切な対応をした上で、再度、上記の追い焚きスイッチ等をＯＮ操作することになる。つまり、故障とは扱わずに誤操作に基づき開始された制御を自動終了させるようにして、誤操作に気付いたユーザにより再操作させるようにしている。
【００５４】
このような浴槽２００内の湯水量の有無判定については、追い焚き運転前の注湯運転段階において既に循環ポンプ３５及び水流スイッチ３７の判定処理が行うようにしたため初めて可能になり、しかも、確実に行い得るようになる。
【００５５】
しかも、リモコン５１によるユーザに対する報知を機器の異常（故障）と、ユーザの誤操作に起因する内容とに分けて行うことができるため、ユーザが自己で対処できるもの（誤操作時の対応）と、作業員による点気・修理が必要なものとの区別を付けることができ、ユーザの誤操作に起因する苦情や、苦情に基づく作業員による出張点検・修理の頻度も低減させることができる。
【００５６】
＜他の実施形態＞
なお、本発明は上記実施形態に限定されるものではなく、その他種々の実施形態を包含するものである。すなわち、上記実施形態では、温度検出センサとしてのふろ戻り温度センサ３６を循環ポンプ３５と水流スイッチ３７との間に設置しているが、これに限らず、循環ポンプ３５の吐出側であればいずれの位置でもよく、例えば往き路３３に設置してもよい。
【００５７】
上記実施形態では、１缶２回路式の給湯器付き風呂釜を対象に本発明を適用した場合について説明したが、これに限らず、２缶２回路式の給湯器付き風呂釜、つまり、給湯用熱交換器１２と追い焚き用熱交換器３１とが互いに異なる燃焼バーナにより燃焼加熱されるように構成された給湯器付き風呂釜に本発明を適用してもよい。
【図面の簡単な説明】
【図１】本発明の実施形態を示す模式図である。
【図２】注湯の流れの経路を示す模式図であり、図２（ａ）は通常の注湯時の経路を示し、図２（ｂ）は異常判定処理部５５により循環ポンプ３５が作動された場合の注湯の経路を示す。
【図３】コントローラのブロック構成図である。
【図４】注湯運転中の異常判定処理部の制御内容を示すフローチャートである。
【図５】図４のフローチャートの一部を構成するフローチャートである。
【図６】追い焚き運転開始にあたっての異常判定処理部の制御内容を示すフローチャートである。
【符号の説明】
２        給湯回路
３        追い焚き回路
４        注湯回路
３２      戻り路
３３      往き路
３５      循環ポンプ
３６      ふろ戻り温度センサ（温度検出センサ）
３７      水流スイッチ（流水検知手段）
５１      リモコン（報知手段）
５５      異常判定処理部（異常判定処理手段）
１００    給湯器付き風呂釜
２００    浴槽
【図１】
2004353981.tif 000003
【図２】
2004353981.tif 000004
【図３】
2004353981.tif 000005
【図４】
2004353981.tif 000006
【図５】
2004353981.tif 000007
【図６】
2004353981.tif 000008